(57)【要約】      （修正有）【課題】求急医療の恒常化空気成分率ボンベとしての非恒常体の求急医療・消化作業時の恒常化装置を得ること、さらに該装置に用いられる口鼻呼吸器の呼気弁を介した呼吸マスクの取り付けが容易であり、求急医療や消火作業時の非恒常体環境での該環境に対応した恒常体の恒常化体装置の空気成分率ボンベ及びその製造方法を提供する。【解決手段】求急医療・消火作業時の非恒常化に、恒常化体装置としての空気成分率ボンベを取り付け、空気成分率ボンベにマスクを取り付ける。【選択図】図１
2004248684.tif 000002
【特許請求の範囲】
【請求項１】
外箱（１）に恒常化体装置（２）を備え、電気弁（３）と集合器（１５）を取り付けた、前記電気弁（３）と集合器（１５）のホース（７）を備えマスク（５）に空気成分率ボンベ（１０）を取り付けた、前記空気成分率ボンベ（１０）に口鼻呼吸器（８）のマスクを備えた非恒常体の求急医療・消火作業時の恒常化体装置。
【請求項２】
恒常化の空気成分率ボンベ（１０）を呼吸マスク（５）の口鼻呼吸器（８）に呼気弁（１８）を取り付けた、請求項１記載の非恒常体の求急医療・消火作業時の恒常化体装置。
【請求項３】
恒常化の空気成分率ボンベ（１０）に空気圧約１３．６ｇ／ｃｍ３以上の出力取付部を備え、このバルブ取付部（１４）に空気成分率ボンベ（Ｉ（１１），ＩＩ（１２），ＩＩＩ（１３）を取り付けた請求項２記載の非恒常体の求急医療・消火作業時の恒常化体装置。
【請求項４】
恒常化の空気成分率ボンベ（１０）に口鼻呼吸器（８）のマスク（５）取付部を備え、この口鼻呼吸器（８）取付部の空気成分率ボンベ（１０）に、該恒常化成分率空気出力を取り付けた請求項２記載の非恒常体の求急医療・消火作業時の恒常化体装置。
【請求項５】
恒常化の空気成分率ボンベ（１０）にボンベ３体構成のボンベＩ（Ｎａ７８％＋Ｈ２０．０１％）、ボンベＩＩ（Ｏ２Ｏ３２０．９９以上）、ボンベＩＩＩ（＋Ｈ＋ネオン＋Ｈｅ＋Ｋｒ＋Ｘｅ）取付部を備え、この取付部に口鼻呼吸器（８）の該恒常化成分率として取り付けた請求項２記載の非恒常体の求急医療・消火作業時の恒常化体装置。
【請求項６】
電気弁（３）とホース（７）のボンベ３体構成の空気成分率を該配管のホース（７）で恒常化空気の該恒常化成分率を備えた請求項１、２又は５記載の非恒常体の求急医療・消火作業時の恒常化体装置。
【請求項７】
呼吸マスク（５）に呼吸率と酸化率と還元率での酸素量、オゾン量の非恒常体の求急医療・消火作業時の恒常化体装置
【請求項８】
空気成分が３体成分率に圧縮充填のバルブ（３）開栓で、かつボンベＩ（７８％＋Ｈ２０．０１％）である請求項８、９、１０記載の非恒常体の求急医療・消火作業時の恒常化体装置用空気成分率ボンベ。
【請求項９】
３体ボンベの加圧出力の配管（ホース３本）で、かつボンベＩＩ（Ｏ２Ｏ３２０．９９以上）であり、請求項８、９、１０記載の非恒常体の求急医療・消火作業時の恒常化体装置用空気成分率ボンベ。
【請求項１０】
３体ボンベ約１３．６ｇ／ｃｍ３以上で、ボンベＩＩＩ（＋Ｈｅ＋ネオン＋Ｈｅ＋ｒｅ＋Ｘｅ）成分が集合器（１５）を介して口鼻呼吸器（８）で該恒常化体の空気成分率である請求項８、９、１０記載の非恒常体の求急医療・消火作業時の恒常化体装置用空気成分率ボンベ。
【請求項１１】
医療用３体ボンベの空気成分率を備えた、請求項８、９又は１０記載の非恒常体の求急医療・消火作業時の恒常化体の求急医療・消火作業時の恒常化体装置用空気成分率ボンベ。
【請求項１２】
肩荷の外箱（１）に形成された内部で、ボンベの容積内容での体積の分割になり（ボンベＩ：Ｎａ７８％＋Ｈ２０．０１％、ボンベＩＩ：Ｏ２Ｏ３２０．９９％以上、ボンベＩＩＩ：＋Ｈ＋ネオン＋Ｈｅ＋Ｋｒ＋Ｘｅ）の体積の容積変形として、該外箱（１）の中空体に該空気成分体を充填したことの３体ボンベの形成で、電気弁（３）集合器（１５）取付部のホース（７）の口鼻呼吸器（８）の該恒常体の空気成分率化であり、又医療用としては特設備えの特大ボンベとすることを特徴とする請求項１１記載の空気成分率ボンベの製造方法。
【発明の詳細な説明】
【０００１】
【発明の属する技術分野】本発明は、空気成分率の単位量の圧縮パーツボンベ（Ｉ、ＩＩ、ＩＩＩ構成）を備える、非恒常体の求急医療・消火作業時の恒常化体装置並びに該装置に用いる空気成分率ボンベ及びその製造方法に関する。
【０００２】
【従来の技術】
従来の求急医療においては、主に酸素の補給の該気圧化であり、消化作業時の非恒常体においては、恒常化体装置は備えられることも少なく、防護マスクなどの引用になっている。
【０００３】
【発明が解決しようとする課題】
従来の求急医療においては酸素の補給の気圧化になり、消化作業時の非恒常体においては、緊急時現場における恒常化体の活動としての酸素の補給の気圧化は少なく、たとえ酸素の補給の恒常化体は求められていても、非恒常性の現場の場合は呼吸マスクでの安全性の酸素の空気（恒常性大気）が十分に得られず、該防護マスクなどの引用に準じる内容になり、呼吸マスクとしての恒常性は恒常性大気内に移動し、十分な安全性の確保となるまでは問題点もあった。
【０００４】本発明は、求急医療に対応して酸素の補給の気圧化だけでなく、当該求急医療に対応した非恒常性の恒常化としての、求急医療の恒常化空気成分率ボンベとしての非恒常体の求急医療・消化作業時の恒常化装置を得ることを目的としており、さらに該装置に用いられる口鼻呼吸器の呼気弁を介した呼吸マスクの取り付けが容易であり、求急医療や消火作業時の非恒常体環境での該環境に対応した恒常体の恒常化体装置の空気成分率ボンベ及びその製造方法を提供することを目的としている。
【０００５】
【課題を解決するための手段】
上記目的を達成するために、本発明の非恒常体の求急医療・消火作業時の恒常化装置においては、恒常化装置の外箱の３体ボンベ構成にバルブとメーターを取り付け、該バルブとメーターへ恒常化空気成分率の各配管に集合器の開栓を取り付けるとともに、該集合器に口鼻呼吸器に呼気弁を介した、呼吸マスクを取り付けたものである。
【０００６】上記非恒常体の恒常化装置を取り付ける位置は、求急医療の消火作業時の適当な箇所とすることが可能であるが、後述する理由により、特に求急医療の場合は肩の荷の肩負とすることが効果的である。
【０００７】また、非恒常体の恒常化装置を空気成分率ボンベに取り付けるために、空気成分率のボンベを医療用３体ボンベ取付部を形成し、この取付部に空気成分率をＩ、ＩＩ、ＩＩＩ体ボンベの分割したことの空気成分率ボンベを取り付けたり、非恒常体の恒常化装置としてボンベＩＩ：Ｏ２Ｏ３２０．９９％以上を主の取付部を構成し、ボンベＩ、ＩＩＩ、の空気成分率は恒常体環境からの大気空気を呼吸マスクに取り付けるか、火炎・有毒ガス発生の現場の非恒常体の還元状況によって、ボンベ気圧と構成される空気成分率ボンベＩ、ＩＩ、ＩＩＩの口鼻呼吸器の取付部を形成し、この取付部に排気専用の呼気弁を備えた呼吸マスクを取り付けるとよい。
【０００８】また、消化作業時の非恒常体の恒常化装置を空気成分率ボンベに取り付けるために、ボンベＩＩの恒常化圧力を１３．６ｇ／ｃｍ３以上の気圧力として、消火作業時の負担に対応した当該の恒常化装置の呼吸マスク備えの、吸気（吸う息）と呼気（吐く息）の肺呼吸力差、例えば吸気の口鼻呼吸器で呼吸率と酸化率の還元率としての該呼吸運動量の構成で、消火作業時の現場の火災・有毒ガスでの非恒常体化の状況の場合は、前記呼吸マスクでの呼吸率と還元率としての酸素Ｏ２、オゾンＯ３成分であり、さらに口鼻呼吸器には専用排気の呼気弁備えの肺呼吸力差であり、呼吸率と還元率の気圧力（１３．６ｇ／ｃｍ３）以上とすることが好ましい。
【０００９】さらに、緊急の求急医療での恒常化装置の空気成分率ボンベＩ：Ｎａ７８％＋Ｈ２０．０１％、ボンベＩＩ：Ｏ２Ｏ３２０．９９％以上での肺呼吸力差としての１３．６ｇ／ｃｍ３以上の気圧力で、口鼻呼吸器備えの呼吸率と還元率（１６００ｃｃ〜４、０００ｃｃ）での緊急の呼吸の呼気が吸気をうわまわっての呼吸率と還元率での恒常化空気成分率での形成であり、また、当該求急医療呼吸マスクを取り付けたボンベＩＩＩ：Ｈ＋ネオン＋Ｈｅ＋Ｋｒ＋Ｘｅ）の呼吸率と還元率含みの空気成分率での恒常化装置としての生体系の還元になる。
【００１０】そして、前記非恒常体の恒常化装置を空気成分率ボンベの医療用３体ボンベの恒常化装置の製造方法としては、消化作業時の火災・有毒ガス発生の現場の背負の外箱内に、１３．６ｇ／ｃｍ３以上の成分率ボンベの気圧力のメーターとバルブ取付部で、ボンベイＩＩ取り付けのみの要件形成とするか、非恒常体の状況に対応する恒常化体の備えのボンベＩ、ＩＩＩ取り付け構成であり、口鼻呼吸器での呼吸率と酸化率の還元率の恒常化体の取り付けであり、当該の容積内容での体積ボンベの背負形式である。
【００１１】また、緊急の求急医療の車中及び病院敷施での恒常化装置としての医療用３体ボンベも１３．６ｇ／ｃｍ３以上の気圧力のメーターとバルブ備えの成分率ボンベ取付部であり、呼吸マスクの口鼻呼吸器に呼吸率、酸化率、還元率の恒常体化の呼吸の取り付けであり、当該の緊急現場に対応してのボンベＩ、ＩＩ、ＩＩＩ構成の使用形式とする現場要件の製造方法がある。
【００１２】
【発明の実施の形態】
上記のように構成された非恒常体の恒常化装置に、空気成分率ボンベを火災・有毒ガス発生の現場の非恒常体にあって、呼吸マスクの口鼻呼吸器の取付部へボンベＩＩ：Ｏ２Ｏ３２０．９９％以上が口鼻の吸気となって、鼻下と口先上の部分に気圧力（１３．６ｇ／ｃｍ３以上）の吸気となり、肺活動量の呼吸となって酸化の混合の還元率となって、Ｃ＋Ｏ２→ＣＯ２，Ｃ２＋２Ｏ３→３ＣＯ２の呼吸率、酸化率、還元率として、ボンベＩＩ：Ｏ２Ｏ３２０．９９％以上の主恒常体の混合の還元率が、安定した呼吸マスク内の口鼻呼吸を維持するように働き、呼気は口元の取付部に形成された呼気弁を介してＣＯ２は体外に排気される。
【００１３】そして、上記した理由からボンベＩＩ：Ｏ２Ｏ３２０．９９％以上の気圧力は、口鼻呼吸器の取付部から鼻下と口先上の部分方向として、鼻穴の部分の呼気と鼻穴と口中での呼吸率となり、酸素の体積の比の呼吸率の酸化率になり、すなわちＯ２Ｏ３が鼻穴と口中にあって混合することが無くなる程有効であり、Ｏ２Ｏ３２０．９９％以上それ自体は非恒常体の恒常化体としての求急医療・消化作業時の恒常化体装置の十分なものが好ましい。
【００１４】また、求急医療の車中及び病院敷設での恒常化装置としての、医療用３体の空気成分率ボンベＩ、ＩＩ、ＩＩＩ形成の１３．６ｇ／ｃｍ３以上の、鼻下と口先上の部分への気圧力であり、主ボンベＩＩ：Ｏ２Ｏ３２０．９９％以上でのＩＩ、ＩＩＩボンベの呼吸マスクの口鼻呼吸器の取付部の呼吸率、酸化率、還元率として、ベットの上での呼吸弁備えを介して、ＣＯ２は体外に排気されることの構成である。
【００１５】
【実施例】
実施例について図面を参照して説明すると、１図において非恒常体の消火作業時の恒常体化装置２で、外箱１に肩掛１６取り付けでバンド固定とし、ヘルメット１９固着のマスク５固定を取り付け、口鼻呼吸器８からの集合器１５のコック６とホース７を備えて、空気成分率ボンベ１０（ボンベＩＩ、ボンベＩＩＩ）、の加圧出力取付部と静電気発生器３４の取り付けになる。
【００１６】２図において示される実施例では、非恒常体の求急医療であり移動ベット２０の両端に空気成分率ボンベ１０が（ボンベＩ、ＩＩ、ＩＩＩ）の取付部備えの固着になり、加圧出力部１４からホース７（成分率ボンベ数）を取り付けて、集合器１５で恒常体の空気成分率１０として接続され、コック６の開栓を介してマスク５の口鼻呼吸器８の取り付けである。
【００１７】３図において示される実施例では、ヘルメット１９取付部の固定具９取付部からの備えのマスク５のゴムひも２１の取り付けで、集合器１５からのホース７を介して口鼻呼吸器８と呼気弁（複数）の取り付けになる。
【００１８】４図において示される実施例では、（ａ）図はマスク５に口鼻呼吸器８と呼気弁１８を取り付けている。（ｂ）図は空気成分率ボンベ１０で外箱１にメーター４の内在になり、ボンベＩ、ＩＩと静電気発生器３６の取り付けである。
【００１９】５図において示される実施例では、（ａ）図は球体静電気弁２８の取り付けの呼気弁１８で、内経に溝付の静電帯のプラスの合成樹脂（ゴム弁）２７取付部と静電気弁３３マイナス（セロファン系）の呼気弁になり、転倒や方向が変化しても静電帯の弁としての呼気弁機能になる。（ｂ）図は静電気弁（合成樹脂）プラスの静電気帯２７と固定３５を介した静電気弁マイナス（セロファン系）の帯電の呼気開閉の静電気弁３３の取り付けである。（ｃ）図は、呼気電磁弁２４の実施例になりプランジャー２６と静電気弁３３の取り付けになり、内筒内接のパルプマグネット２５取付部の呼気の空気溝３４備えになり、エボナイト内経の
2004248684.tif 000003
制御の呼気の排気専用備えの呼気電磁弁２４の取り付けである。
【００２０】６図において示される実施例では、鼻と口元にセットされる構造から透明マスクとして、垂直開閉の弁２３取付部の呼気弁１８取り付けの求急医療としての方向を有する取り付けになる。
【００２１】７図（ａ）（ｂ）（ｃ）は、前記マスク７に口鼻呼吸器８と呼気弁１８複数の取り付け形成の求急医療・消化作業時の恒常化体装置のマスクの製造方法を示すもので、この製造工程は、
【００２２】（イ）第一工程（７図（ａ））：合成材料をブロー成形して作った。透明マスク２２の接着面３５備えの、５図（ａ）の呼気弁１８の複数箇のＬ型の上向取付部形成で、上部接触面積は十字型の部分接触面積で下部は球体と同円心で密着接触の弁機能で、有毒ガスを呼気弁として境界し、（特に静電帯発生の運動体の静電気帯２８の軽量球が好ましく）、下部に静電気弁２７を取り付けて、合成樹脂プラス静電帯とセロファン系マイナス静電気弁の静電気帯の結合の弁としての呼気開閉弁とする、２ケ以上の取り付けとする製造工程。
【００２３】（ロ）第二工程（７図（ｂ））：口鼻呼吸器８の部分が鼻と口元の中間を位置して吸気の恒常体の空気成分率が１３．６ｇ／ｃｍ３圧力以上で吸気される工程。
【００２４】（ハ）第三工程（７図（ｃ））：その後、固定具９とゴムひも２１で顔面に密着して、集合器１５のコック６を開栓する工程。
からなる。
【００２５】
【発明の効果】
本発明は、以上説明したように構成されているので、以下に記載されるような効果を奏する。
求急医療・消火作業時の非恒常化に、恒常化体装置としての空気成分率ボンベを取り付けることにより、求急医療・消火作業時の非恒常の非常状態に、恒常化としての空気成分率ボンベからの恒常化気圧成分率ボンベの供給の空気成分率として、非恒常体の環境に対応して恒常化の空気成分率ボンベとして起動を円滑にできる。
【００２６】そして、緊急の求急医療での恒常化装置の空気成分率ボンベを口鼻呼吸器取付部のマスク備えからの空気成分率ボンベ（Ｉ、ＩＩ、ＩＩＩ）と、１３．６ｇ／ｃｍ３気圧力での吸気は非恒常体における恒常化装置として、求急医療・消火作業時の現場に対応してボンベＩＩ、Ｏ２Ｏ３２０．９９％以上の呼吸率・酸化率・還元率を得ることができるので、非恒常体における恒常化装置としてより有効になる。
【００２７】さらに、空気成分率ボンベを恒常体装置に取り付けるために、呼吸マスクの取付部に口鼻呼吸器の呼気弁を形成し、球体静電帯の呼気弁が上部十字呼気路の形成と、下部同心円密着の有毒ガス境界の弁として、さらに二重形成の合成樹脂とセロファインの静電帯結合の静電気帯弁の呼気開閉弁の構成を採用することによって、電磁弁の装置全体を小型にして、十分な静電気帯接合の静電気弁の呼気開閉とすることができる。
【００２８】また、空気成分率ボンベを恒常体装置に取り付けるために、呼吸マスク取付部に口鼻呼吸器に呼気弁を形成し、この呼気弁に医療用の上方向の弁備えの取り付ける構成を採用することによって、肺活量の少ない呼気での静電体結合の弁としての、呼気開閉弁として呼気弁を簡単に製造することができる。
【００２９】また、恒常化装置としての空気成分率ボンベ（Ｉ、ＩＩ、ＩＩＩ）の集合器に開閉コック取付部を形成し、この取付部に１３．６ｇ／ｃｍ３気圧以上とボンベＩ（Ｎａ、７８％＋Ｈ２０．０１％）。ボンベＩＩ（Ｏ２Ｏ３２０．９９以上）。ボンベＩＩＩ（Ｈ＋ネオン＋Ｈｅ＋ｒｅ＋Ｘｅは環境空気）の取り付けになり、呼吸マスクの口鼻呼吸器の呼気取り付けの構成を採用することによって、呼気弁は静電気帯の弁として作ることができるので、呼気弁を簡単に製造することができる。
【００３０】また、恒常体装置として呼吸マスク取付部に、口鼻呼吸器の静電気備えの電池や回転駆動での静電気起電力と、ロック弁を介してのパルフマグネット取付部の電磁開閉の呼気電気弁は、境界の弁として強力に形成することになり、当該の電気回路開閉の電気信号も静電帯のスイッチ開閉の制御の安全の利点がある。なお、電気回路開閉の電気信号の静電気帯も呼気に対応して十分な関係になると、電磁開閉の境界弁は必要が少ない。
【００３１】さらに、口鼻呼吸器に呼気弁を形成し、プラス静電気帯とマイナス静電気帯からなる合成樹脂やセロファン等による静電気帯の結合の静電気帯の呼気開閉のプラス、マイナス静電気帯弁備えは、呼気力は当該状況の呼気力であって自然な静電気帯の開閉力として、静電気帯の弁を円滑にできる。
【００３２】そして、求急医療・消火作業時に空気成分率ボンベに成分率充填し、呼吸マスク取付部の口鼻呼吸器に呼気弁を形成する、非恒常体の恒常化装置の製造方法としては、前記した製造方法を採用することによって、呼吸マスク備えの呼吸率、酸化率、還元率としての気圧力（１３．６ｇ／ｃｍ３以上）の呼気になり、静電気帯の呼気開閉の静電気帯弁は、呼気の静電帯弁の開閉の呼気開閉弁を容易に製造することができる。
【００３４】
【図面の簡単な説明】
【図１】ヘルメット備え空気成分率ボンベの背負形式の側面図である。
【図２】求急医療の移動ベット上の恒常化体装置の斜視図である。
【図３】ヘルメットに固定具備えの呼吸マスクの縦断面図である。
【図４】（ａ）は呼吸マスク一部正面図である。
（ｂ）は空気成分率ボンベ取付部の一部縦断面図である。
【図５】（ａ）はＬ字型球体弁と静電気弁の縦断面図である。
（ｂ）は静電気帯のプラス静電帯とマイナス静電気帯の正面図である。
（ｃ）は電磁弁と静電気弁の横断面図である。
【図６】透明マスクに呼気弁取付部の側面図である。
【図７】（ａ）は透明マスクに方向性のある呼気弁取り付けの製造工程を示す図である。
（ｂ）は透明マスクに口鼻呼吸器取り付けの製造工程を示す図である。
（ｃ）は透明マスクにゴムひも取付部製造工程を示す図である。
【符号の説明】
１……外箱
２……恒常化体装置
３……電気弁
４……メーター
５……マスク
６……コック
７……ホース
８……口鼻呼吸器
９……固定具
１０……空気成分率ボンベ
１１……ボンベＩ
１２……ボンベＩＩ
１３……ボンベＩＩＩ
１４……出力取付部
１５……集合器
１６……肩掛
１７……バルブ
１８……呼気弁
１９……ヘルメット
２０……移動ベット
２１……ゴムひも
２２……透明マスク
２３……弁
２４……呼気電磁弁
２５……パルフマグネット
２６……プランジャー
２７……静電気帯
（合成樹脂）
２８……球体静電気弁
２９……電磁弁
３０……静電気帯
３１……静電気弁
３２……絶縁
３３……静電気弁（セロファン）
３４……空気溝
３５……接着面
３６……静電気発生器
【図１】
2004248684.tif 000004
【図２】
2004248684.tif 000005
【図３】
2004248684.tif 000006
【図４】
2004248684.tif 000007
【図５】
2004248684.tif 000008
【図６】
2004248684.tif 000009
【図７】
2004248684.tif 000010